(57)【要約】      （修正有）【課題】安全に使用できると共に、粘着テープを迅速に交換することができる粘着テープカッター台を提供する。【解決手段】粘着テープカッター台１は座体１１、切断部１４、収容部１２を含み、そのうち前記切断部上に弾性装置４２とカッター片１５が設けられ、前記弾性装置が第一弾性部材４４に付勢され、且つ前記弾性装置の高さが前記カッター片より高く設けられ、使用者がカッター片でけがをすることがない。【選択図】図３
0003147257.tif 000002
【実用新案登録請求の範囲】
【請求項１】
座体と、前記座体に設置された切断部と、前記座体に設置され、且つあらかじめ設けた粘着テープを収容するために用いる収容部を含み、前記切断部上にカッター片取付槽が設けられ、前記カッター片取付槽内に弾性装置が弾性的に設置されると共にカッター片が固定され、そのうち、前記弾性装置が１つまたは１つ以上の第一弾性部材に付勢され、且つ前記弾性装置の高さが前記カッター片より高く設けられたことを特徴とする、粘着テープカッター台。
【請求項２】
前記弾性装置に凹部が凹設され、前記カッター片に位置規制部が形成され、前記カッター片の前記位置規制部が前記凹部に当接され、前記弾性装置が前記カッター片取付槽から飛び出さないよう規制したことを特徴とする、請求項１に記載の粘着テープカッター台。
【請求項３】
前記第一弾性部材がバネまたは板バネのいずれかであることを特徴とする、請求項１に記載の粘着テープカッター台。
【請求項４】
前記収容部内の両側壁に凸部がそれぞれ設けられ、且つ前記収容部にテープホルダが摺設され、前記テープホルダの両端に軸心槽がそれぞれ設けられ、前記各軸心槽にそれぞれ穿通孔が穿設され、前記各軸心槽内にそれぞれ伸縮軸が収容され、前記各伸縮軸に前記穿通孔に収容される突出部がそれぞれ設けられ、また前記各伸縮軸と前記テープホルダ間に１つまたは１つ以上の第二弾性部材が連結されたことを特徴とする、請求項１に記載の粘着テープカッター台。
【請求項５】
前記第二弾性部材が引張バネ（Ｅｘｔｅｎｓｉｏｎ  Ｓｐｒｉｎｇ）であることを特徴とする、請求項４に記載の粘着テープカッター台。
【請求項６】
前記各突出部に押圧部が接続されたことを特徴とする、請求項４に記載の粘着テープカッター台。
【請求項７】
前記収容部内の両側壁に軌道がそれぞれ設けられ、前記各凸部が前記各軌道内に設置され、前記テープホルダが前記軌道に摺設されることを特徴とする、請求項４に記載の粘着テープカッター台。
【考案の詳細な説明】
【技術分野】
【０００１】
本考案は粘着テープカッター台に関し、特に、安全かつ便利な粘着テープカッター台に関する。
【背景技術】
【０００２】
粘着テープを便利に使用して物品に貼り付けることができるようにするため、粘着テープカッター台は現在すでに非常に広く使用されている粘着テープ補助ツールとなっている。
【０００３】
図１と図２に従来の粘着テープカッター台の立体図と立体分解図をそれぞれ示す。前記粘着テープカッター台１は座体１１、収容部１２、切断部１４を含み、前記収容部１２が座体１１上に設けられ、且つ中心軸１３が設置され、前記中心軸１３に粘着テープを固定することができ、また粘着テープを便利に切断することができるよう、切断部１４が通常座体１１の一端に設置され、且つ切断部１４上に鋸歯状のカッター片１５が設置される。
【０００４】
使用者が粘着テープカッター台１を使用するときは、粘着テープを収容部１２の中心軸１３上に設置し、且つ粘着テープを切断部１４の方向に引き出し、切断部１４上のカッター片１５を利用して粘着テープを切断することができる。
【０００５】
粘着テープを粘着テープカッター台１に取り付けるときは、中心軸１３を収容部１２から取り出して粘着テープを中心軸１３上に取り付け、中心軸１３を収容部１２に戻すだけで使用することができる。
【０００６】
しかしながら、上述の粘着テープカッター台１は使用時に次のような問題と欠点があり、改善が待たれている。
【０００７】
従来の粘着テープカッター台１は切断部１４のカッター片１５を利用して粘着テープを切断するが、前記カッター片１５にはいかなる安全保護措置もなく、使用者が往々にしてうっかり切断部１４のカッター片１５に触れてしまい、危険である。
【０００８】
このため、上述の従来の問題と欠点をいかに解決するかが本考案の考案者と関連産業に従事するメーカーが研究改善を図る方向性である。
【考案の開示】
【考案が解決しようとする課題】
【０００９】
本考案の主な目的は、従来の粘着テープカッター台に存在する危険の問題を打破し、安全に使用できると共に、粘着テープを迅速に交換することができ、実用性と進歩性を兼ね備えた粘着テープカッター台を提供することにある。
【課題を解決するための手段】
【００１０】
本考案の粘着テープカッター台は座体、切断部、収容部を含み、そのうち、前記切断部は前記座体に設置され、前記切断部上にカッター片取付槽が形成され、前記カッター片取付槽内に弾性装置が弾性的に設置されると共にカッター片が固定され、前記弾性装置は１つまたは１つ以上の第一弾性部材に付勢され、且つ前記弾性装置の高さが前記カッター片より高く設けられ、人々がうっかり切断部に触れてしまっても、弾性装置に触れるだけとなり、カッター片でけがをすることがないよう構成されたことを特徴とする。  
【考案の効果】
【００１１】
全部の図に示すように、本考案の使用時には、従来の技術と比較して次のような利点が確実に存在する。
一、本考案の粘着テープカッター台２は切断部４を含み、前記切断部４上にカッター片取付槽４１が設けられ、前記カッター片取付槽４１内に弾性装置４２が弾性的に設置されると共にカッター片４３が固定され、そのうち前記弾性装置４２が第一弾性部材４４に付勢され、且つ前記弾性装置４２の高さが前記カッター片４３より高く設けられており、粘着テープ６を使用するときは、粘着テープ６を利用して前記弾性装置４２を下方向に押し、前記弾性装置４２が下方向に押されると前記粘着テープ６は前記カッター片４３で切断することができ、また粘着テープ６の切断後、前記弾性装置４２に施力されなくなるため、前記弾性装置４２が第一弾性部材４４の弾性的な作動下で元の高さを回復し、前記弾性装置４２の高さが前記カッター片４３より高いため、本考案の粘着テープカッター台２は安全保護機能と実用性、進歩性を兼ね備えている。
二、本考案の粘着テープカッター台２は粘着テープ６の交換時、テープホルダ５２を座体３の軌道５１から取り出すと、テープホルダ５２の各穿通孔５２３が前記各軌道５１の凸部５１１を離れるため、前記第二弾性部材５４が弾性的に作動して前記各伸縮軸５３を弾性的に軸心槽５２２に戻らせ、このとき粘着テープ６の交換動作を行うことができ、本考案は便利且つ迅速に粘着テープ６を交換することができる。
【考案を実施するための最良の形態】
【００１２】
上述の目的と効果を達するため、本考案が採用する技術手段及び構造について、図面と本考案の最良の実施例に基づき、以下でその特徴と機能を詳細に説明する。
【００１３】
図３と図４に本考案の最良の実施例の立体図と立体分解図をそれぞれ示す。これらの図からはっきりと分かるように、本考案の粘着テープカッター台２は、座体３と、切断部４と、収容部５を含む。
【００１４】
前記切断部４は前記座体３内に設置され、前記切断部４上にカッター片取付槽４１が形成され、前記カッター片取付槽４１内に弾性装置４２が弾性的に設置されると共にカッター片４３が固定され、そのうち、前記弾性装置４２は１つまたは１つ以上の第一弾性部材４４に付勢され、前記第一弾性部材４４はバネまたは板バネのいずれかとし、且つ前記弾性装置４２に凹部４２１が凹設され、前記カッター片４３に位置規制部４３１が設けられ、前記カッター片４３の前記位置規制部４３１が前記凹部４２１に当接されて前記弾性装置４２が前記カッター片取付槽４１から飛び出さないよう規制され、さらに前記弾性装置４２の高さは前記カッター片４３より高く設けられる。
【００１５】
前記収容部５は前記座体３に設けられ、前記収容部５内の両側壁にそれぞれ軌道５１が形成され、前記各軌道５１上に凸部５１１がそれぞれ設けられ、且つ前記軌道５１内にテープホルダ５２が摺設され、前記テープホルダ５２の両端に軸心槽５２２がそれぞれ形成され、前記各軸心槽５２２に穿通孔５２３がそれぞれ穿設され、且つ前記各軸心槽５２２内に伸縮軸５３がそれぞれ収容され、前記各伸縮軸５３には前記穿通孔５２３にそれぞれ収容される突出部５３１が設けられ、前記各突出部５３１に押圧部５３２が接続され、前記各伸縮軸５３と前記テープホルダ５２間に１つまたは１つ以上の第二弾性部材５４が設置され、前記第二弾性部材５４は引張バネ（Ｅｘｔｅｎｓｉｏｎ  Ｓｐｒｉｎｇ）とする。
【００１６】
上述の構造、組み立て設計に基づき、本考案の使用作動状況を以下で説明する。同時に図４、図５、図６に本考案の最良の実施例の立体分解図、動作を示す立体図１と２をそれぞれ示す。これらの図からはっきりと分かるように、本考案の粘着テープカッター台２を使用する必要があるときは、粘着テープ６を切断部４まで引っ張って適当な長さを取り、粘着テープ６を下方向に施力すると、前記粘着テープ６が前記弾性装置４２を下方向に押し、且つ前記弾性装置４２が下方向に押されると、前記粘着テープ６は前記カッター片４３を利用して粘着テープ６を切断することができ、また粘着テープ６を切断した後は、前記弾性装置４２に対する施力がなくなるために前記弾性装置４２が第一弾性部材４４の弾性的作動下で元の高さを回復する。これにより、使用者の指がうっかり切断部４に触れても、前記弾性装置４２の高さが前記カッター片４３より高く設けられているため、使用者はカッター片４３でけがをすることがなく、本考案は安全保護機能と実用性、進歩性を兼ね備えている。
【００１７】
同時に図４、図７、図８、図９、図９Ａに本考案の最良の実施例の立体分解図、動作を示す立体図３、４、５と部分拡大図をそれぞれ示す。これらの図からはっきりと分かるように、本考案の粘着テープカッター台２上に設置された粘着テープ６を交換する必要があるときは、テープホルダ５２を座体３の軌道５１から取り出すと、テープホルダ５２の各穿通孔５２３が前記各軌道５１の凸部５１１を離れ、前記第二弾性部材５４が弾性的に作動して前記各伸縮軸５３を弾性的に軸心槽５２２内に戻らせ、このとき粘着テープ６の交換動作を行うことができる。新しい粘着テープ６に交換した後は、前記テープホルダ５２を前記収容部５の軌道５１内に入れ、且つ軌道５１内の両側壁に設置された凸部５１１により、前記各伸縮軸５３の押圧部５３２がそれぞれ押され、また前記各伸縮軸５３と前記テープホルダ５２間に第二弾性部材５４（例：引張バネ、Ｅｘｔｅｎｓｉｏｎ  Ｓｐｒｉｎｇ）が連結されているため、前記各伸縮軸５３が凸部５１１の押圧により軸心槽５２２を離れてさらに粘着テープ６をテープホルダ５２上に固定する。上述の構造により、本考案は便利かつ迅速に粘着テープ６を交換することができる。
【００１８】
以上の説明は本考案の最良の実施例に基づくものであり、本考案の特許範囲を制限するものではなく、本考案の明細書及び図面の内容を運用した簡易な修飾や同等効果を持つ構造変化はすべて本考案の特許範囲内に含まれるものとする。
【図面の簡単な説明】
【００１９】
【図１】従来の粘着テープカッター台の立体図である。
【図２】従来の粘着テープカッター台の立体分解図である。
【図３】本考案の最良の実施例の立体図である。
【図４】本考案の最良の実施例の立体分解図である。
【図５】本考案の最良の実施例の動作を示す立体図１である。
【図６】本考案の最良の実施例の動作を示す立体図２である。
【図７】本考案の最良の実施例の動作を示す立体図３である。
【図８】本考案の最良の実施例の動作を示す立体図４である。
【図９】本考案の最良の実施例の動作を示す立体図５である。
【図９Ａ】本考案の最良の実施例の部分拡大図である。
【符号の説明】
【００２０】
１        粘着テープカッター台
１１      座体
１２      収容部
１３      中心軸
１４      切断部
１５      カッター片
２        粘着テープカッター台
３        座体
４        切断部
４１      カッター片取付槽
４２      弾性装置
４２１    凹部
４３      カッター片
４３１    位置規制部
４４      第一弾性部材
５        収容部
５１      軌道
５１１    凸部
５２      テープホルダ
５２１    ガイド軌道
５２２    軸心槽
５２３    穿通孔
５３      伸縮軸
５３１    突出部
５３２    押圧部
５４      第二弾性部材
６        粘着テープ
【図１】
0003147257.tif 000003
【図２】
0003147257.tif 000004
【図３】
0003147257.tif 000005
【図４】
0003147257.tif 000006
【図５】
0003147257.tif 000007
【図６】
0003147257.tif 000008
【図７】
0003147257.tif 000009
【図８】
0003147257.tif 000010
【図９】
0003147257.tif 000011
【図９Ａ】
0003147257.tif 000012
【手続補正書】
【提出日】平成20年10月21日(2008.10.21)
【手続補正１】
【補正対象書類名】実用新案登録請求の範囲
【補正対象項目名】請求項１
【補正方法】変更
【補正の内容】
【請求項１】
粘着テープを収容するために用いる収容部を形成して成る座体の前方に切断部を形成した粘着テープカッター台の前記切断部の面にカッター片取付槽を設け、前記カッター片取付槽にカッター片を配して固定するとともに、前記カッター片取付槽の内側に第一弾性部材を収容し、その第一弾性部材上に前記カッター片と併設して第一弾性部材により昇降自在となる弾性装置を、該弾性装置の平面が前記カッター片の平面より高く設けられた構成としたことを特徴とする粘着テープカッター台。
【手続補正２】
【補正対象書類名】実用新案登録請求の範囲
【補正対象項目名】請求項２
【補正方法】変更
【補正の内容】
【請求項２】
前記弾性装置には上面の長手方向に凹部が凹設され、前記カッター片には前記弾性装置に凹設された凹部に係合する位置規制部が形成され、前記カッター片の前記位置規制部が前記凹部に当接され、前記弾性装置が前記カッター片取付槽から飛び出さないよう規制したことを特徴とする請求項１に記載の粘着テープカッター台。
【手続補正３】
【補正対象書類名】実用新案登録請求の範囲
【補正対象項目名】請求項５
【補正方法】変更
【補正の内容】
【請求項５】
前記第二弾性部材が引張バネであることを特徴とする請求項４に記載の粘着テープカッター台。